(57)【要約】【課題】受信端末の消費電力を抑えながら、好適にデジタル放送を受信する映像再生端末を提供する。【解決手段】ワンセグチューナ１５によりワンセグ放送を受信中に、制御部１１は、所定のタイミングでフルセグチューナ２１の電源をＯＮにして、フルセグ放送の電界強度を取得する。そして、制御部１１は、その電界強度が所定の閾値より大きいか否かを判定し、大きかった場合、表示部１４に表示していたワンセグ放送をフルセグ放送に切り替えて表示させる。【選択図】図１
2010074560.tif 000002
【特許請求の範囲】
【請求項１】
第１のテレビジョンデータを受信する第１のチューナと、
前記第１のテレビジョンデータよりデータ量の多い第２のテレビジョンデータを受信する第２のチューナと、
前記第１のチューナが受信する第１のテレビジョンデータまたは前記第２のチューナが受信する第２のテレビジョンデータを再生する再生手段と、
前記再生手段が前記第１のテレビジョンデータを再生しているときに、前記第２のチューナの前記第２のテレビジョンデータの受信状況が所定の基準よりも良好であるか否かを所定周期で繰り返し判別する受信状況判別手段と、
前記受信状況判別手段が、前記受信状況が所定の基準よりも良好であると判別した場合に、前記再生手段に前記第１のテレビジョンデータに代えて前記第２のテレビジョンデータを再生させるように制御する制御手段と、
を備えることを特徴とする映像再生装置。
【請求項２】
第１のテレビジョンデータを受信する第１のチューナと、
前記第１のテレビジョンデータよりデータ量の多い第２のテレビジョンデータを受信する第２のチューナと、
前記第１のチューナが受信する第１のテレビジョンデータまたは前記第２のチューナが受信する第２のテレビジョンデータを再生する再生手段と、
前記再生手段が前記第１のテレビジョンデータを再生しているときに、前記第２のチューナの前記第２のテレビジョンデータの受信状況が所定の基準よりも良好であるか否かを所定のタイミングで判別する受信状況判別手段と、
前記受信状況判別手段が、前記受信状況が所定の基準よりも良好であると判別した場合に、前記再生手段に前記第１のテレビジョンデータに代えて前記第２のテレビジョンデータを再生させるように制御する制御手段と、
を備え、
前記受信状況判別手段は、
前記第１のチューナの前記第１のテレビジョンデータの受信状況が所定の基準よりも良好であるか否かを判別する第１受信状況判別手段を含み、
前記第１受信状況判別手段が、前記第１のテレビジョンデータの受信状況が所定の基準よりも良好であると判別したときに、前記第２のテレビジョンデータの受信状況が所定の基準よりも良好であるか否かを判別する
ことを特徴とする映像再生装置。
【請求項３】
前記第１受信状況判別手段は、予め設定された時間毎に前記受信状況が所定の基準よりも良好であるか否かを判別する
ことを特徴とする請求項２に記載の映像再生装置。
【請求項４】
前記第１受信状況判別手段は、前記第１のチューナが受信する前記第１のテレビジョンデータの電界強度値が所定の基準値よりも良好であるか否かを判別する
ことを特徴とする請求項２または３に記載の映像再生装置。
【請求項５】
前記第１受信状況判別手段は、前記第１のチューナが受信する前記第１のテレビジョンデータの受信エラーレートが所定の基準値よりも良好であるか否かを判別する
ことを特徴とする請求項２または３に記載の映像再生装置。
【請求項６】
前記受信状況判別手段は、前記第２のチューナが受信する前記第２のテレビジョンデータの電界強度値が所定の基準値よりも良好であるか否かを判別する
ことを特徴とする請求項１から５のいずれか１項に記載の映像再生装置。
【請求項７】
前記受信状況判別手段は、前記第２のチューナが受信する前記第２のテレビジョンデータの受信エラーレートが所定の基準値よりも良好であるか否かを判別する
ことを特徴とする請求項１から５のいずれか１項に記載の映像再生装置。
【請求項８】
前記第２のチューナが受信する前記第２のテレビジョンデータの受信状況の履歴を記憶する履歴記憶手段をさらに備え、
前記受信状況判別手段は、前記履歴記憶手段に記憶される前記受信状況の履歴に応じて前記受信状況が良好であるか否かを判別する周期を異ならせる
ことを特徴とする請求項１に記載の映像再生装置。
【請求項９】
前記受信状況判別手段は、前記履歴記憶手段に記憶される前記受信状況の履歴が、受信状況が良化傾向であることを示している場合に前記受信状況が良好であるか否かを判別する周期を短くする
ことを特徴とする請求項８に記載の映像再生装置。
【請求項１０】
前記第１受信状況判別手段が前記第１のテレビジョンデータの受信状況を判別する際の基準である第１の閾値と、前記受信状況判別手段が前記第２のテレビジョンデータの受信状況を判別する際の基準である第２の閾値と、前記第１のテレビジョンデータと前記第２のテレビジョンデータとのいずれを優先して表示させるかを示す再生モードと、の対応関係を示すモード閾値対応表を記憶するモード閾値対応関係記憶手段と、
前記モード閾値対応表に基づいて、設定されている再生モードに対応する前記第１の閾値と前記第２の閾値とを設定する閾値設定手段と、
をさらに備えることを特徴とする請求項２から５のいずれか１項に記載の映像再生装置。
【請求項１１】
電源供給を行う電池と、
前記電池の残量を取得する電池残量取得手段と、をさらに備え、
前記制御手段は、前記電池残量取得手段が取得する電池残量に基づいて、前記再生手段に前記第１のテレビジョンデータと前記第２のテレビジョンデータとのいずれを再生させるかを決定する
ことを特徴とする請求項１から１０のいずれか１項に記載の映像再生装置。
【請求項１２】
前記制御手段は、前記電池残量取得手段が取得した電池残量が予め定められた所定値以下の場合に、前記再生手段に前記第１のテレビジョンデータを再生させるように制御する
ことを特徴とする請求項１１に記載の映像再生装置。
【請求項１３】
前記再生手段が再生するテレビジョンデータを表示する表示手段と、
前記表示手段におけるテレビジョンデータの表示サイズを取得する表示サイズ取得手段と、をさらに備え、
前記制御手段は、前記表示サイズ取得手段が取得する表示サイズに基づいて、前記再生手段に前記第１のテレビジョンデータと前記第２のテレビジョンデータとのいずれを再生させるかを決定する
ことを特徴とする請求項１から１２のいずれか１項に記載の映像再生装置。
【請求項１４】
前記制御手段は、前記表示サイズ取得手段が取得した表示サイズが予め定められた所定サイズ以下の場合に、前記再生手段に前記第１のテレビジョンデータを再生させるように制御し、前記表示サイズ取得手段が取得した表示サイズが前記所定サイズより大きい場合に、前記再生手段に前記第２のテレビジョンデータを再生させるように制御する
ことを特徴とする請求項１３に記載の映像再生装置。
【請求項１５】
前記再生手段が再生するテレビジョンデータの音声を出力する音声出力手段をさらに備え、
前記制御手段は、前記音声出力手段により前記再生手段が再生するテレビジョンデータの音声のみを出力する場合、前記再生手段に前記第１のテレビジョンデータを再生させるように制御する
ことを特徴とする請求項１から１４のいずれか１項に記載の映像再生装置。
【請求項１６】
コンピュータを、
第１のチューナが受信する第１のテレビジョンデータ、または、第２のチューナが受信する前記第１のテレビジョンデータよりデータ量の多い第２のテレビジョンデータ、を再生する再生手段、
前記再生手段が前記第１のテレビジョンデータを再生しているときに、前記第２のチューナの前記第２のテレビジョンデータの受信状況が所定の基準よりも良好であるか否かを所定周期で繰り返し判別する受信状況判別手段、
前記受信状況判別手段が、前記受信状況が所定の基準よりも良好であると判別した場合に、前記再生手段に前記第１のテレビジョンデータに代えて前記第２のテレビジョンデータを再生させるように制御する制御手段、
として機能させることを特徴とするプログラム。
【発明の詳細な説明】
【技術分野】
【０００１】
本発明は、映像を処理する映像再生装置と、コンピュータを映像再生装置として機能させるプログラムと、に関する。
【背景技術】
【０００２】
地上デジタル放送を受信する受信装置は、受信電波からトランスポートストリーム（ＴＳ）を復調するチューナを備え、トランスポートストリームからパケットを分離し、そのパケットをデコーダがデコードすることで映像音声を出力する。そして、地上デジタル放送では、一つの放送局に割り当てられた周波数帯を１３個のセグメントに分割し、そのうち一つのセグメント（図３における３１）を使ってワンセグ放送を伝送し、１３セグメント（図３における３２）を使ってフルセグ放送を伝送している。
【０００３】
ワンセグ放送は、携帯端末用に規格化された放送であるので、受信電波のＣ／Ｎ比（Carrier to Noise ratio）が約７ｄＢ以上あればテレビコンテンツのデータを復号できるように、強力な誤り訂正の機構が組み込まれている。それに対して、固定テレビで受信することを目的として規格化されたフルセグ放送では、必要なＣ／Ｎ比は約20ｄＢ以上であることが推奨されている。
【０００４】
このため、受信感度の低いアンテナでフルセグ放送を受信する場合、電界強度の強いエリア以外では必要なＣ／Ｎ比を確保できない場合がある。
【０００５】
図４は、フルセグ放送とワンセグ放送が受信できるエリアを示した図である。基地局４００から電波が送信され、エリアＡ２はフルセグ放送およびワンセグ放送を受信できるエリアであり、エリアＡ１はワンセグ放送のみ受信できるエリアを示している。
【０００６】
ここで、エリアＡ１でワンセグ放送を視聴しているユーザがエリアＡ２に移動した場合に、自動的にフルセグ放送に切り替えると使い勝手がよく、このような技術が知られている。また、その逆の切り替えも同様である。
【０００７】
特許文献１には、フルセグ放送の受信中に受信状態が悪化すると、ワンセグ放送に切り替えて受信を継続し、また、ワンセグ放送の受信中にフルセグ放送の電波状態が回復したらフルセグ放送に切り替えるデジタル放送受信装置が開示されている。
【０００８】
【特許文献１】特開２００５−２７７８７３号公報
【発明の開示】
【発明が解決しようとする課題】
【０００９】
しかし、ワンセグ放送からフルセグ放送への切り替えを実現するためには、フルセグ放送のテレビジョンデータが受信できるエリア内に端末が移動した、ということを検出する必要がある。そのためには、フルセグチューナを常に起動してテレビジョンデータの受信状況を監視する必要があり、消費電力が大きくなってしまうという問題がある。
【００１０】
本発明は上記実情を鑑みてなされたものであり、受信端末の消費電力を抑えながら、好適にテレビジョンデータを受信する映像再生端末を提供することを目的とする。
【課題を解決するための手段】
【００１１】
上記目的を達成するため、本発明の映像再生装置は、
第１のテレビジョンデータを受信する第１のチューナと、
前記第１のテレビジョンデータよりデータ量の多い第２のテレビジョンデータを受信する第２のチューナと、
前記第１のチューナが受信する第１のテレビジョンデータまたは前記第２のチューナが受信する第２のテレビジョンデータを再生する再生手段と、
前記再生手段が前記第１のテレビジョンデータを再生しているときに、前記第２のチューナの前記第２のテレビジョンデータの受信状況が所定の基準よりも良好であるか否かを所定周期で繰り返し判別する受信状況判別手段と、
前記受信状況判別手段が、前記受信状況が所定の基準よりも良好であると判別した場合に、前記再生手段に前記第１のテレビジョンデータに代えて前記第２のテレビジョンデータを再生させるように制御する制御手段と、
を備えることを特徴とする。
更に、コンピュータに対して本発明の主要機能を実行させるためのプログラムを提供する。
【発明の効果】
【００１２】
本発明によれば、受信端末の消費電力を抑えながら、好適にテレビジョンデータを受信再生することができる。
【発明を実施するための最良の形態】
【００１３】
（実施形態１）
以下、本発明の実施形態に係る映像再生装置を説明する。本実施形態は、映像再生装置を、コンテンツ受信機能を備える携帯電話１に適用した例である。携帯電話１は、任意のデータ転送方式に則ったコンテンツを受信可能であるが、以下ではワンセグ放送およびフルセグ放送におけるコンテンツを受信する場合について説明する。
【００１４】
携帯電話１は、コンテンツ再生機能を備える携帯電話１で、例えば、図２に示すような折り畳み型のものであり、キーボード２、表示パネル５、等を備えている。
【００１５】
キーボード２は、カーソルキー３と切替ボタン４とその他各種のボタンとを備え、ユーザに操作されて、様々なデータや指示の入力に使用される。例えば、チャンネルの選択、等の指示の入力に使用される。
【００１６】
表示パネル５は、ドットマトリクスタイプのＬＣＤ（液晶表示）パネル等から構成され、任意のデータ（例えば、映像、字幕、データ放送等）を表示する。通話用マイク６は、通話音声を入力する。通話用スピーカ７は、受話音声を出力する。スピーカ８は、コンテンツ再生時の音声等を出力する。
【００１７】
次に、携帯電話１の回路構成について説明する。携帯電話１は、図１に示すように、制御部１１、記憶部１２、操作部１３、表示部１４、ワンセグチューナ１５、ワンセグデコード部１６、音声出力部１７、音声入力部１８、通信部１９、バス２０、フルセグチューナ２１、デスクランブル部２２、フルセグデコード部２３、タイマー２４を備える。
【００１８】
制御部１１は、マイクロプロセッサユニット等から構成され、携帯電話１全体の動作を制御する。例えば、受信したテレビ放送のコンテンツの再生、チャンネルの変更を制御する。また、制御部１１は、各種のデータ（映像、字幕文、データ放送等）を、表示部１４を介して、表示パネル５に表示させる。
【００１９】
記憶部１２は、各種のデータを記憶する。例えば、記憶部１２は、制御部１１の動作制御用プログラムを記憶する。記憶部１２は、携帯電話１に内蔵されるメモリ、取り外し可能な外部メモリ、のいずれから構成されてもよい。操作部１３は、前述のキーボード２、カーソルキー３、切替ボタン４等を備え、ユーザからの操作に対応した操作信号を制御部１１に入力する。
【００２０】
表示部１４は、表示パネル５とドライバ回路等から構成され、制御部１１の制御下にて画像を表示パネル５に表示する。ワンセグチューナ１５は、アンテナを介して受信したワンセグ放送のコンテンツを復調し、復調信号をワンセグデコード部１６に出力する。ワンセグデコード部１６は、ワンセグチューナ１５が出力したコンテンツを復号し、出力する。
【００２１】
ワンセグチューナ１５の詳細な構成を図５に示す。ワンセグチューナ１５は、アンテナ１５０、電界強度測定器１５１、受信機１５２、復調器１５３、ＢＥＲ（Bit Error Rate）測定器１５４、電界強度出力線１５５、ＢＥＲ出力線１５６、ＴＳ（Transport Stream）出力線１５７などから構成される。
【００２２】
アンテナ１５０はデジタル放送が受信可能な、例えばＵＨＦ帯の電波やＶＨＦ帯の電波を受信するために必要な形状をしている。電界強度測定器１５１は、デジタル放送を受信している状態での電界強度値を求め、電界強度出力線１５５を介して制御部１１に出力する。
【００２３】
受信機１５２は、アンテナ１５０から入力された信号を、ＲＦ（Radio Frequency）信号として後段の復調器１５３に出力する。復調器１５３では、受信機１５２から入力されたＲＦ信号を復調してＴＳデータを出力する。さらに、後段のＢＥＲ測定器１５４によってＢＥＲ値が測定された後、ＴＳ出力線１５７からＴＳが出力される。また、測定されたＢＥＲ値は、ＢＥＲ出力線１５６を介して制御部１１に出力される。
【００２４】
図１に示すフルセグチューナ２１は、アンテナを介して受信したフルセグ放送のコンテンツを復調し、復調信号をデスクランブル部２２に出力する。なお、フルセグチューナ２１の詳細な構成に関しても、ワンセグチューナ１５と同様の構成である。
【００２５】
デスクランブル部２２では、フルセグチューナ２１が出力したスクランブルのかかったコンテンツの暗号を解き、データを平文にしてフルセグデコード部２３に出力する。フルセグデコード部２３は、デスクランブル部２２が出力した平文コンテンツを復号し、出力する。
【００２６】
音声出力部１７は、前述の通話用スピーカ７とスピーカ８、ＤＡＣ（Digital Analog Converter）等を備え、例えば、制御部１１が再生したコンテンツの音声信号にＤＡ変換を施し、スピーカ８により放音する。音声入力部１８は、通話時等に、音声信号を収集し、通信部１９に供給する。通信部１９は、基地局を介して、通話音声、各種のデータ等を送受信する。バス２０は、各部間で相互にデータを伝送する。
【００２７】
タイマー２４は、マイクロプロセッサユニットなどに付属した機構であり、一定の時間間隔で割り込みを発生させる。タイマー２４により、制御部１１が割り込みを発生させる時間間隔を設定できる。
【００２８】
（切り替え処理の概要）
フルセグ放送を受信して視聴している際に電界強度などが悪化すると、映像にブロックノイズが発生し、それ以上視聴を続けられなくなる場合がある。そのような場合に、同じチャンネルのワンセグ放送に切り替えて表示することにより、ユーザは番組を途切れることなく視聴でき、使い勝手が向上する。このように制御するには、フルセグ放送の受信中に、例えば電界強度を取得し、予め定められた閾値よりも大きいか否かを判定する。そして、もし閾値よりも小さくなった場合は、ワンセグ放送に切り替えて表示する。また、ＢＥＲ値を取得し、予め定められた閾値よりも小さいか否かを判定する。そして、もし閾値よりも大きくなった場合は、ワンセグ放送に切り替えて表示する。
【００２９】
この処理内容を、図６を用いて説明する。図６は、フルセグチューナ２１のＢＥＲ測定器が取得したＢＥＲ値の時間変化をプロットした図を示している。ここで、閾値１４０とは、これ以上ＢＥＲ値が大きい場合はフルセグ受信からワンセグ受信に切り替える値を示す。時刻ｔ１で、取得したＢＥＲ値が閾値１４０を超えると、ワンセグ放送への切り替え処理を行う。
【００３０】
具体的には、まず、フルセグチューナ２１の電源をＯＦＦにする。そして、ワンセグチューナ１５の電源をＯＮにして起動し、ワンセグチューナ１５が出力するＴＳをワンセグデコード部１６に入力する。入力されたＴＳをワンセグデコード部１６で復号しＹＵＶデータに変換し、表示部１４を介して表示する。
【００３１】
また、時刻ｔ２で閾値１４０を下回ると、フルセグ放送への切り替え処理を行う。具体的には、ワンセグ放送への切り替え処理と同様の処理を行う。まず、ワンセグチューナ１５の電源をＯＦＦにする。そして、フルセグチューナ２１の電源をＯＮにして起動し、フルセグチューナ２１が出力するＴＳをデスクランブルおよびデコード処理を行い、表示部１４に表示する。このように、フルセグ放送のＢＥＲ値を用いて、ワンセグ放送とフルセグ放送の切り替え処理を行うことができる。
【００３２】
ここで、フルセグ放送のＢＥＲ値や電界強度を用いて切り替えの判定処理を行う場合、常にフルセグチューナ２１の電源を入れておくと大きな消費電力を使用してしまう。一般的に、フルセグチューナ２１はワンセグチューナ１５に比べても大きな消費電力を使用する。これは、図３に示したように、フルセグ放送はワンセグ放送の約１3倍の周波数帯域を使用していることや、ＴＳのビットレートが高く処理するデータ量が多いことなどが理由として挙げられる。
【００３３】
そのため、本発明では、常にフルセグチューナ２１の電源を入れておくのではなく、必要に応じてフルセグチューナ２１の電源を入れることで、消費電力を抑える。フルセグチューナ２１の電源を入れるタイミングについては、後述する。
【００３４】
（フルセグ映像出力処理）
フルセグ放送の映像出力するためのフルセグ映像出力処理について図７を用いて説明する。まず、フルセグチューナ２１がフルセグ放送の電波を受信する。そして、制御部１１の制御の下、フルセグチューナ２１にて復調処理を行い、フルセグのトランスポートストリーム（以下、ＴＳ）を出力する。（ステップＳ１０１）。次に、このＴＳにはコンテンツ保護のためにスクランブルがかかっているので、デスクランブル部２２にてデスクランブルを行い平文のＴＳを出力する（ステップＳ１０２）。そして、この平文のＴＳをフルセグデコード部２３にてデコード処理を行う（ステップＳ１０３）。デコード処理では、まずＴＳを映像データ、音声データ、字幕データ、データ放送、ＰＳＩ／ＳＩ情報などのデータに分離した後、それぞれのエレメンタリストリーム（ＥＳ）を復号する。これにより、映像ＥＳはＹＵＶデータに変換される。そして、最後に映像データを表示部１４に表示させる（ステップＳ１０4）。音声ＥＳはＰＣＭ（Pulse Code Modulation）データに変換され、スピーカ８から出力される。
【００３５】
次に、本実施形態の受信端末において、ワンセグ放送を受信中にフルセグ放送の電界強度を間欠的に取得し、電界強度がある閾値以上だった場合はフルセグ放送に切り替える切替判定処理のフローについて説明する（図８）。
【００３６】
まず、ワンセグ放送の受信を開始すると制御部１１は、タイマー２４を開始する（ステップＳ２０１）。そして、ある時間が経過してタイマー２４が満了したことを検知すると（ステップＳ２０２；Ｙｅｓ）、フルセグチューナ２１の電源を入れて起動する（ステップＳ２０３）。そして、フルセグ放送波の電界強度Ｅ２を取得し（ステップＳ２０４）、取得した電界強度Ｅ２が、予め定められた閾値Ｅｔ２よりも大きいか否かを判定する（ステップＳ２０５）。この閾値Ｅｔ２は、記憶部１２に格納されたプログラム上の変数であり、記憶部１２にアクセスすることで取得できる値である。なお、端末のハードウェア上のレジスタにセットしておいても良い。
【００３７】
ここで、電界強度Ｅ２が閾値Ｅｔ２よりも小さい場合は（ステップＳ２０５；Ｎｏ）、フルセグチューナ２１の電源をＯＦＦにして（ステップＳ２０６）、再びステップＳ２０１に戻りタイマー２４を開始する。また、電界強度Ｅ２が閾値Ｅｔ２よりも大きかった場合は（ステップＳ２０５；Ｙｅｓ）、フルセグ映像出力処理を開始する（図７）。なお、フルセグ映像出力処理を開始するときにはワンセグチューナ１５の電源をＯＦＦにするようにすればよい。
【００３８】
このように、フルセグ放送の電界強度を間欠的に取得することで、端末の消費電力を低く抑えることが可能である。その結果、テレビの視聴時間が延び、ユーザの使い勝手が向上する。
【００３９】
（実施形態２）
次に、本発明の実施形態２について説明する。ワンセグ放送とフルセグ放送は同じチャンネルであれば、図３に示したように、同じ周波数帯を利用して電波を伝送している。よって、ワンセグ放送の電界強度が強ければ、同じ場所で受信したフルセグ放送の電界強度も強い、というような相関がある。また、前述したＢＥＲ値についても同じような相関関係がある。実施形態２では、この相関関係を利用して、ワンセグ放送の電界強度を目安にしてフルセグ放送の電界強度を取得するタイミングを決定する。
【００４０】
ワンセグ放送の受信中にワンセグ放送の電界強度を取得し、その値がある閾値より大きかった場合に限り、フルセグ放送の電界強度を取得する実施形態２の切替判定処理フローについて説明する（図９）。
【００４１】
まず、ワンセグ放送の受信中に制御部１１は、ワンセグ放送の電界強度Ｅ１を取得する（ステップＳ３０１）。そして、取得した電界強度Ｅ１が、予め定められた閾値Ｅｔ１よりも大きいかどうかを判定する（ステップＳ３０２）。なお、この閾値Ｅｔ１は、前記閾値Ｅｔ２と同様に記憶部１２に格納されたプログラム上の変数であり、記憶部１２にアクセスすることで取得できる値である。なお、端末のハードウェア上のレジスタにセットしておいても良い。
【００４２】
ここで、電界強度Ｅ１が閾値Ｅｔ１よりも小さい場合は（ステップＳ３０２；Ｎｏ）、再びワンセグの電界強度Ｅ１を取得する（ステップＳ３０１に戻る）。また、電界強度Ｅ１が閾値Ｅｔ１よりも大きい場合は（ステップＳ３０２；Ｙｅｓ）、フルセグチューナ２１の電源を入れて起動する（ステップＳ３０３）。そして、フルセグ放送波の電界強度Ｅ２を取得し（ステップＳ３０４）、取得した電界強度Ｅ２が、予め定められた閾値Ｅｔ２よりも大きいかどうかを判定する（ステップＳ３０５）。
【００４３】
ここで、電界強度Ｅ２が閾値Ｅｔ２よりも小さい場合は（ステップＳ３０５；Ｎｏ）、フルセグチューナ２１の電源をＯＦＦにして（ステップＳ３０６）、再びステップＳ３０１に戻りワンセグの電界強度Ｅ１を取得する。また、電界強度Ｅ２が閾値Ｅｔ２よりも大きかった場合は（ステップＳ３０５；Ｙｅｓ）、フルセグ映像出力処理を開始する（図７）。
【００４４】
このように、ワンセグ放送の電界強度Ｅ１によってフルセグ放送の電界強度Ｅ２を取得するかしないかを判定することで、明らかにフルセグの電界強度Ｅ２が弱い地域などでは定期的に受信せずに済むため、消費電力が低減できる。
【００４５】
（実施形態３）
しかし、実施形態２では、閾値Ｅｔ１を小さすぎる値に設定してしまうと、常に電界強度Ｅ１が閾値Ｅｔ１よりも大きくなってしまい（ステップＳ３０２；Ｙｅｓ）、常にフルセグチューナ２１の電源を入れて電界強度を取得する処理を行ってしまう。このように、閾値の設定によっては、消費電力低減の効果が低くなってしまう可能性もある。
【００４６】
そこで、実施形態３では、ワンセグ放送の電界強度Ｅ１が強い場合にフルセグ放送の電界強度Ｅ２を取得するタイミングを、タイマー２４を用いて間欠的に行う。これにより、さらに消費電力を低減させることができる。実施形態３の切替判定処理フローについて説明する（図１０）。
【００４７】
ワンセグ放送の受信を開始すると、まず、制御部１１は、タイマー２４を開始する（ステップＳ４０１）。そして、ある時間が経過してタイマー２４が満了すると（ステップＳ４０２；Ｙｅｓ）、図９におけるステップＳ３０１〜ステップＳ３０５と同様の処理を行ってフルセグ放送の電界強度Ｅ２を取得する。そして、電界強度Ｅ２が閾値Ｅｔ２よりも大きかった場合は（ステップＳ３０５；Ｙｅｓ）、フルセグ映像出力処理を開始する（図７）。また、電界強度Ｅ２が閾値Ｅｔ２よりも小さい場合は（ステップＳ３０５；Ｎｏ）、フルセグチューナ２１の電源をＯＦＦにして（ステップＳ３０６）、再びステップＳ４０１に戻りタイマー２４を開始する。
【００４８】
このように、実施形態３では、ワンセグ放送の電界強度Ｅ１が強い場合だけフルセグ放送の電界強度Ｅ２を取得することで、消費電力を抑えることができ、さらに該処理をタイマー２４によって間欠的に実施することで、消費電力をより低く抑えることができる。
【００４９】
（ＢＥＲ値、その他指標の利用）
また、上記実施例では、ワンセグ放送とフルセグ放送の切り替えタイミングとして、電界強度を用いていたが、フルセグ放送の受信状態が悪化したことが分かる指標であれば、これに限定されない。例えば、電波の信号品質を示すＣ／Ｎ比の変化や、電界強度により変化する電波信号増幅率を示すＡＧＣ（Automatic Gain Control）の値の変化、復調後のデータの受信状態を示すＢＥＲ（Bit Error Rate）値の変化や、その結果として発生する映像のブロックノイズの量や割合などでも構わない。
【００５０】
（ＢＥＲ値、その他指標の利用  処理フロー）
次に、ＢＥＲ値および電界強度を用いた切替判定処理について処理フローを説明する（図１１）。
【００５１】
まず、制御部１１は、図１０のステップＳ４０１〜ステップＳ４０２までと同様の処理を行う。次に、ワンセグの電界強度を取得して（ステップＳ５０１）、その値が閾値よりも大きな値であるか否かを判定する（ステップＳ５０２）。
【００５２】
ここで、閾値よりも大きい場合（ステップＳ５０２；Ｙｅｓ）、ワンセグのＢＥＲ値を取得し（ステップＳ５０３）、その値が閾値より小さい値であるか否かを判定する（ステップＳ５０４）。
【００５３】
ここで、閾値よりも小さい場合（ステップＳ５０４；Ｙｅｓ）、フルセグチューナの電源を入れて起動させる（ステップＳ５０５）。そしてフルセグの電界強度を取得し（ステップＳ５０６）、その値が閾値よりも大きな値であるか否かを判定する（ステップＳ５０７）。
【００５４】
ここで、閾値よりも大きい場合（ステップＳ５０７；Ｙｅｓ）、フルセグのＢＥＲ値を取得し（ステップＳ５０８）、その値が閾値より小さい値であるか否かを判定する（ステップＳ５０９）。
【００５５】
ここで、閾値よりも小さい場合（ステップＳ５０９；Ｙｅｓ）、フルセグ映像出力処理を開始する（図７）。
【００５６】
また、各判定ステップでＮｏとなった場合、ステップＳ４０１に戻って再びタイマー２４を開始する。特に、ステップＳ５０７、ステップＳ５０９での判定ステップでＮｏだった場合は、フルセグチューナの電源をＯＦＦにして（ステップＳ５１０）、ステップＳ４０１に戻る。
【００５７】
このように、受信状態を様々な値を用いて測定することで、より細かくフルセグ放送への切り替えタイミングを決定することができ、消費電力をさらに低減することができる。
【００５８】
（実施形態４）
次に、タイマーの時間間隔についてさらに工夫した例について説明する。タイマーの時間間隔が長いと消費電力は低減できるが、フルセグ放送を受信できるエリアに入ったとしてもフルセグ放送への切り替えが実施されるまでに時間が空いてしまうため、フルセグ放送が表示されるタイミングが遅くなってしまう。また、反対に、タイマーの時間間隔が短いと、フルセグ放送を受信できるエリアに入ったら即座にフルセグ放送への切り替えが行われて、すぐにフルセグ放送を表示できるが、消費電力の低減の効果が少なくなってしまう。
【００５９】
そこで、実施形態４では、フルセグ放送のＢＥＲ値の履歴を用いて、タイマーの時間間隔を変化させる。例えば、フルセグ放送が受信できるエリアに近づくように移動して、その結果ＢＥＲ値が連続して小さくなった場合、タイマーの時間間隔を短くする。図１２に、フルセグのＢＥＲ値をプロットした図を示す。時刻ｔ１０から時刻ｔ１１にかけて、ＢＥＲ値が連続して小さくなっている。そこでタイマーの時間間隔を半分にし、次は時刻ｔ１２にＢＥＲ値を取得している。また、時刻ｔ１３から時刻ｔ１４にかけて、ＢＥＲ値が連続して大きくなっている。そこでタイマーの時間間隔を２倍にし、次は時刻ｔ１５にＢＥＲ値を取得している。なお、閾値１４０より小さい時刻では、フルセグ視聴中なのでフルセグチューナ２１は起動中であるため、フルセグのＢＥＲ値を常に一定の時間間隔で取得しておく。
【００６０】
次に、この場合の処理フローについて説明する。実施形態４の動作は、図１１のステップＳ５０８とステップＳ５０９の間に図１３に示す処理を追加することで実現できる。まず、制御部１１は、ステップＳ５０８までと同様の処理を行って、フルセグのＢＥＲ値を取得する（ステップＳ５０８）。そして、制御部１１は、そのＢＥＲ値を記憶部１２に格納する（ステップＳ６０２）。次に、前回、記憶部１２に格納したＢＥＲ値を取得する（ステップＳ６０３）。なお、初回は前回のＢＥＲ値がないため、ここで処理を終えてステップＳ５０９に移行する。
【００６１】
そして、ステップＳ５０８で取得した今回のＢＥＲ値が、ステップＳ６０３で取得した前回のＢＥＲ値よりも大きいか否かを判定する（ステップＳ６０４）。小さいと判定された場合（ステップＳ６０４；Ｎｏ）は、ステップＳ６０８に進む。大きいと判定された場合（ステップＳ６０４；Ｙｅｓ）は、カウンタをインクリメントする（ステップＳ６０５）。このカウンタは、連続で大きいと判定された回数を示すものであり、具体的には、プログラム中に存在する変数である。
【００６２】
次に、カウンタの値がある閾値より大きいか否かを判定する（ステップＳ６０６）。ここで、閾値未満であった場合（ステップＳ６０６；Ｎｏ）は、ステップＳ６０８に進む。また、閾値以上であった場合（ステップＳ６０６；Ｙｅｓ）は、タイマー２４の時間間隔を短縮する（ステップＳ６０７）。どのくらい短縮するかは、１倍未満であればよく、例えば、０．５倍にする。この倍率は、プログラム上で格納しておくことができる。なお、前回のＢＥＲ値と今回のＢＥＲ値との差分や大きさの割合から、タイマー２４の時間間隔を短縮する倍率を決定してもよい。そして最後に、カウンタを０に戻し（ステップＳ６０８）、ステップＳ５０９に移行する。
【００６３】
なお、逆に、フルセグ放送が受信できるエリアから遠ざかって移動して、その結果ＢＥＲ値が連続して大きくなった場合、タイマー２４の時間間隔を長くする。即ち、ステップＳ６０４でＮｏであると判定されたときにカウンタをインクリメントして、当該カウンタと閾値を比較し、閾値以上であった場合に、タイマー２４の時間間隔を長くするようにすればよい。この場合、時間間隔を１倍より大きくすればよく、例えば２倍にする。なお、この倍率についても前回のＢＥＲ値と今回のＢＥＲ値との差分や大きさの割合に基づいて決定するようにしてもよい。
【００６４】
このように、実施形態４では、タイマー２４の時間間隔を、履歴を用いて長くしたり短くしたりすることで、消費電力の低減と、フルセグ放送を表示するタイミングを早くすることを両立することができ、ユーザの使い勝手が向上する。
【００６５】
（モード設定）
また、フルセグ放送への切り替え処理は、ユーザの所望するタイミングで行えるようにしてもよい。例えば、切替ボタン４がユーザによって押下された際に、フルセグ映像出力処理（図７）を実行してワンセグ放送からフルセグ放送へ切り替えるようにしてもよい。このようにユーザのタイミングで切り替えるモードを「手動モード」、端末が自動で切り替えるモードを「自動モード」と呼ぶ。これらモードの設定は、端末の画面上でユーザ操作を通して行える。
【００６６】
図１４に、本発明に係る携帯電話１において、モードを設定する画面例を示す。画面（ａ）は、ワンセグ放送またはフルセグ放送を受信している状態での画面例である。ここで、ソフトキー「サブメニュー」５０１に割り当てられたキーボード２上のキー（以下、サブメニューキー）をユーザが押下すると、サブメニューが表示される（画面（ｂ）に遷移）。ここで、「１切り替えモード設定」を選択すると、切り替えモード設定の画面が表示される（画面（ｃ）に遷移）。ここで、「１手動モード」を選択すると、手動モードに設定される。また、「２自動モード」を選択すると、自動モードに設定される。このようにして、切り替えモードをユーザが端末の画面上で設定できる。このような設定が、記憶部１２の所定領域に格納される。そして、ワンセグ放送を受信するときに当該設定が読み出され、自動モードに設定されていれば上述の切替判定処理が実行される。手動モードに設定されている場合は、切替判定処理は実行されない。
【００６７】
（閾値設定）
さらに、上述したタイマーの時間や、ワンセグ放送の電界強度の閾値Ｅｔ１、フルセグの電界強度の閾値Ｅｔ２などもユーザが設定できるようにしてもよい。
【００６８】
そのために、図１５に示すような閾値テーブル６００を記憶部１２に格納しておく。閾値テーブル６００は項目６０１と閾値６０２から構成され、それぞれ値が格納されている。この例では、ワンゼグ電界強度の閾値が４．５ｄＢに設定され、フルセグ電界強度の閾値が１５．０ｄＢに設定され、タイマー２４が計測する時間であるタイマー時間が０．５秒に設定されている。
【００６９】
また、図１６に、本発明に係る携帯電話１において、閾値を設定する画面例を示す。画面（ａ）は、ワンセグ放送またはフルセグ放送を受信している状態での画面例である。ここで、ユーザがサブメニューキーを押下すると、サブメニューが表示される（画面（ｂ）に遷移）。ここで、「４閾値設定」を選択すると、閾値設定の画面が表示される（画面（ｃ）に遷移）。この画面において、ユーザが上下キーを押下すると、閾値の値７０２が増減し、「決定」キーを押下すると、閾値が表示された値に設定される。また、画面（ｄ）のように、設定できる閾値を全て一覧表示して、それぞれを選択して値を入力できるようにしてもよい。ここで入力された値が閾値テーブル６００に設定される。
【００７０】
（長時間モード）
消費電力を抑えるために、フルセグ放送の受信できるエリアから少しでもはずれたら、すぐにワンセグ放送に切り替えるために、閾値の値を調整することができる。しかし、閾値をユーザが一つ一つ設定していくのは手間がかかる。そこで、予め閾値のセットを用意しておき、例えば、「長時間視聴モード」や「フルセグ優先モード」などといったモードを切り替えると、該セットの閾値を用いて設定できるようにしておくようにしてもよい。この場合、ユーザは、モードの設定だけすればよく、使い勝手が向上する。
【００７１】
このようにするためには、携帯電話１の記憶部１２に、モード対応表８００を保持しておく。モード対応表８００の内容の一例を、図１７に示す。モード対応表８００には、モード８０１と、ワンセグＢＥＲ値の閾値８０２、フルセグＢＥＲ値の閾値８０３、ワンセグ電界強度の閾値８０４、フルセグ電界強度の閾値８０５、タイマー時間８０６などの項目から構成される。
【００７２】
モードには、例えば、「長時間視聴モード」と「フルセグ優先モード」とがある。長時間視聴モードでは、フルセグ放送の受信環境が少しでも悪くなったら、すぐにワンセグ放送に切り替えることで、なるべく長時間視聴できるようにするモードである。一方、フルセグ優先モードは、フルセグ放送の受信環境が多少悪くても、できるだけフルセグ放送を視聴できるようにするモードであり、長時間視聴モードに比べて、閾値が全体的に低い値となっている。
【００７３】
モードは、記憶部１２上に格納されたプログラム上の変数、または、レジスタ上の値として保持しておくことができる。モードが選択されると、選択されたモードに対応する閾値、タイマー時間を取得し、それぞれの値を示す変数に値を設定する。
【００７４】
このようにして、ユーザはモードを変えるだけで、複数の閾値などの値を設定することができ、使い勝手が向上する。
【００７５】
（電池残量）
さらに、携帯電話１の電池残量によって、消費電力を低く視聴することができるワンセグ放送を優先して選択させるようにしてもよい。例えば、フルセグ放送を視聴中に電池残量が減った場合、ワンセグ放送に切り替える。それにより消費電力を抑えることができるため、ユーザはより長く放送を視聴できるようになる。
【００７６】
そのためには、例えば、図１の構成に、電池残量取得部２５を加える（図示せず）。電池残量取得部２５は、携帯電話１の電池残量を取得する。電池残量とは、携帯電話１に電源を供給している電池により、携帯電話１を動作させることができる残り時間を示す値である。また、時間に限定して換算するものではなく、電池が満充電のときと比べた割合をパーセンテージで示す値であってもよい。また、正確な割合ではなく、だいたいの残り時間が分かるような値、例えば、残り少ない状態、半分ぐらいの状態、満充電に近い状態などといった３つ程度の段階の目盛りなどで示すようにしてもよい。一般的に、携帯電話１には待ち受け画面の上方にこのような電池残量を示した目盛りが表示される。
【００７７】
次に、フルセグ放送視聴中に、電池残量取得部２５により電池残量を取得し、電池残量が少ない場合にワンセグ放送に切り替える電池残量判定処理の処理フローについて、図１８を用いて説明する。フルセグ放送視聴中に所定周期の割り込みなどにより、電池残量判定処理が開始される。電池残量判定処理が開始されると、制御部１１が電池残量取得部２５により電池残量を取得する（ステップＳ７０１）。次に、予め定められた電池残量の閾値Ｖｔを取得する。このＶｔは、例えば、３０分などのような時間である。また、電池残量の表現方法によっては、２５パーセントや、「目盛り１」であったりしてもよい。
【００７８】
そして、取得した電池残量が閾値Ｖｔよりも小さいかどうかを判定する（ステップＳ７０３）。電池残量が閾値Ｖｔよりも小さかった場合（ステップＳ７０３；Ｙｅｓ）、表示する放送をフルセグ放送からワンセグ放送に切り替える（ステップＳ７０４）。また、電池残量が閾値Ｖｔよりも大きかった場合（ステップＳ７０３；Ｎｏ）、何もせずに処理を終了する。
【００７９】
また、ワンセグ放送を受信しているときに、電池残量が減った場合は、たとえフルセグ放送の受信状況が回復しても、フルセグ放送への切り替えは行わないようにしてもよい。このようにすることで、消費電力を抑えて視聴時間を長くすることができる。
【００８０】
この場合の処理フローについて、図１９を用いて説明する。まず、図１０のステップＳ４０１からステップＳ４０２までと同様の処理を行い、タイマー２４が満了したら、電池残量を取得し（ステップＳ８０１）、電池残量閾値Ｖｔを取得する（ステップＳ８０２）。そして、電池残量が閾値Ｖｔよりも小さいか否かを判定し（ステップＳ８０３）、小さかった場合は（ステップＳ８０３；Ｙｅｓ）、何も処理をせずにステップＳ４０１に戻る。また、大きかった場合は（ステップＳ８０３；Ｎｏ）、ステップＳ３０１へと進み、フルセグ放送への切り替え判定を実施する。
【００８１】
このように、電池残量が少ない場合では、フルセグ放送への切り替え判定処理を行わないようにすることで、消費電力を低減でき、ワンセグ放送を視聴できる時間を長くすることができる。その結果、ユーザの使い勝手が向上する。
【００８２】
（たてワンセグ、よこフルセグ）
また、携帯電話１のテレビの視聴スタイルには、図２０のようなパターンがある。図２０（ａ）は、携帯電話１の表示パネル５を縦にした状態の表示画面例であり、図２０（ｂ）は携帯電話１の表示パネル５を横にした状態の表示画面例である。図２０（ａ）における映像９０１は、表示パネル５の横幅に合わせた大きさになるため、小さい映像となる。よって、この状態ではワンセグを表示することで充分な画質が得られる。また、図２０（ｂ）における映像９０２は、表示パネル５の縦幅に映像の横幅を合わせて表示するため、図２０（ａ）に比べて大きな映像となる。この場合は、ワンセグ放送とフルセグ放送の画質の差が目立つためフルセグ放送を表示するようにしてもよい。このように制御することで、消費電力を抑えることができる。
【００８３】
この場合、例えば、図１の構成に、視聴スタイル取得部２６を加える（図示せず）。視聴スタイル取得部２６は、視聴スタイルが図２０（ａ）のような縦モードか、図２０（ｂ）のような横モードであるかを取得する。視聴スタイルの変更は、例えば、ユーザがキーボード２に割り当てられた視聴スタイルを変更するキー（以下、視聴スタイル変更キー）を押下することによって、変更することができる。具体的には、視聴スタイルを表す変数をプラグラム上に保持しておき、その値によって、例えば値０が縦モード、値１が横モードといったように、値を変更する。視聴スタイル取得部２６は、この変数の値を取得することで視聴スタイルを判断することができる。また、それ以外の視聴スタイルの変更方法として、視聴スタイル取得部２６が携帯電話１の開閉状態を取得するようにして、携帯電話１の表示部１４が開いた状態になったら縦モード、表示部１４が表にくるように折りたたまれた状態になったら横モード、などと切り替えるようにしても良い。また、視聴スタイル取得部２６は、視聴スタイルが変わった際に、制御部１１にプログラム上のイベントとして通知することができる。
【００８４】
視聴スタイルによって表示する放送を切り替える場合の視聴スタイル判定処理フローについて、図２１を用いて説明する。視聴スタイル取得部２６によって視聴スタイルの変更が制御部１１に通知されると、制御部１１は、視聴スタイル判定処理を実行する。まず、制御部１１は視聴スタイル取得部２６から視聴スタイルを取得する（ステップＳ９０１）。そして、視聴スタイルが縦モードだったら（ステップＳ９０２；Ｙｅｓ）、ワンセグ放送に切り替える処理を実行する（ステップＳ９０３）また、視聴スタイルが横モードだったら（ステップＳ９０２；Ｎｏ）、何もせずに、処理を終了する。
【００８５】
このように、視聴スタイルが縦モードになった場合、ワンセグ放送に切り替えることで消費電力を抑えることができる。
なお、視聴スタイルは図２０に示したモード以外にあってもよい。例えば、図２０（ｂ）のように横向きではあるが、表示パネル５の横幅の半分程度の小さい映像を表示するものがあってもよい。この場合、縦モードと同じくワンセグを表示することで充分な画質が得られる。このように制御するには、視聴スタイル取得部２６が映像のサイズを取得し、取得したサイズが予め定められた閾値よりも小さい場合はワンセグ、大きい場合はフルセグを表示するようにすればよい。
【００８６】
（起動時の状態  横→フル、縦→ワン）
次に、ワンセグ放送またはフルセグ放送を視聴するアプリケーション（以下、テレビアプリ）の起動時の動作について述べる。携帯電話１が電話やメール、ユーザによるキー入力などを待ち受けている状態の画面（以下、待ち受け画面）から、テレビアプリを起動する際の携帯電話１の状態によって、ワンセグ放送かフルセグ放送かを自動的に選択して起動させる。
【００８７】
具体的には、図２２に示すような携帯電話１の状態がある。図２２（ａ）のように、表示パネル５が開いた状態でテレビアプリを起動した場合はワンセグ放送、図２２（ｂ）のように、表示パネル５が表に来るように折りたたまれた状態でテレビアプリを起動した場合はフルセグ放送を選択する。
【００８８】
また、携帯電話は、図２２（ｃ）に示すように、キーボードが搭載された部分の筐体を正面から見て横の辺にヒンジ１１０１を設けて、表示パネル５の搭載された部分の筐体が、横に開くようにした形態でもよい。この形態では、画面を横向きにするとキーボード２も押下できて使い勝手がよい。携帯電話を図２２（ｃ）の状態にしてテレビアプリを起動したら、フルセグ放送を自動的に選択するようにしてもよい。
【００８９】
また、図２２（ｄ）、（ｅ）に示すように、スライド式の携帯電話の場合について説明する。スライド式の携帯電話では、表示パネル５が搭載された筐体部分と、キーボードが搭載された筐体部分とが平行にスライドする形状である。図２２（ｄ）のように閉じた状態では、携帯電話を横向きにした状態でもテレビを視聴し易いため、この状態でテレビアプリを起動した場合はフルセグ放送を選択する。一方、図２２（ｅ）のように開いた状態ではキーボード２を操作できるため、携帯電話を縦向きで使用すると使い勝手がよい。そこで、この状態でテレビアプリを起動した場合はワンセグ放送を選択するようにしてもよい。
【００９０】
さらに、図２２（ｆ）、（ｇ）に示すように、筐体のほぼ全面が表示部１４になっているような携帯電話の場合について説明する。例えば、この携帯電話には加速度センサ１１０２を備えており、携帯電話の向きを検出できる。その方法としては、加速度センサ１１０２から加速度データを取得し、加速度センサ１１０２から表示部１４に対して垂直方向（矢印１１０３）の加速度データがプラスの値である場合は横向き（図２２（ｆ））、加速度センサ１１０２から表示部１４とは反対方向（矢印１１０４）の加速度データがプラスの値である場合は縦向き（図２２（ｇ））などといった判定処理に基づき、携帯電話の向きを取得する。そこで、携帯電話が横向きのときにテレビアプリを起動した場合はフルセグ放送、携帯電話が縦向きのときにテレビアプリを起動した場合はワンセグ放送を選択するようにする。なお、加速度センサの位置はこれに限定するものではなく、携帯電話の向きが判別できる場所ならばどこに設置されていてもよい。
【００９１】
この場合の処理について説明する。テレビアプリの起動が指示された場合、携帯電話の状態を取得し、取得した状態の種類によって、ワンセグ放送かフルセグ放送のどちらかを選択する。選択する際には、記憶部１２に記憶された、携帯電話の状態と放送との対応関係が記載された対応表を参照するようにすればよい。
【００９２】
このように、テレビアプリを起動する際の、携帯電話の向きや状態によって、フルセグ放送かワンセグ放送かを自動的に選択して表示することで、ユーザの手間が省けて使い勝手が向上する。また、縦モードのように小さい画面ではワンセグ放送を自動的に選択して表示することで、携帯電話の消費電力を抑えることができる。
【００９３】
（ＢＧＭ再生）
さらに、テレビの映像は表示せずにテレビの音声だけ出力し、表示部１４には携帯電話のその他の機能、例えば、メール、インターネット、待ち受け画面、スケジュールなど、を表示する視聴スタイル（以下、ＢＧＭ再生スタイル）がある。この場合は、テレビの映像は見えないので画質のよいフルセグ放送を受信する必要がなく、ワンセグ放送で十分である。そこで、フルセグ放送を受信中に、ＢＧＭ再生スタイルに切り替えられた場合、ワンセグ放送に切り替えて音声を出力するように制御する。
【００９４】
この場合の携帯電話１では、前記視聴スタイル取得部２６が視聴スタイルを取得し、ＢＧＭ再生スタイルであった場合、ワンセグ放送に切り替える処理を行う。また、視聴スタイルがＢＧＭ再生スタイルから通常の映像を表示するスタイルで、縦モードに切り替わった場合は、フルセグ放送に切り替えて映像を表示する。
【００９５】
（温度）
さらに、携帯電話１でフルセグ放送を受信している場合、消費電流が大きいためにデスクランブル部２２やフルセグデコード部２３などが発熱して携帯電話の筐体内部の温度が上昇する。そこで、携帯電話１の内部温度がある閾値以上の温度に達した場合、少ない消費電流で受信することのできるワンセグ放送に自動的に切り替えてもよい。この場合は、図１の構成に温度センサを加えたものになる。
【００９６】
これにより、発熱により携帯電話１が異常に熱くなることを抑制でき、ユーザにとって使い勝手が向上する。
【００９７】
（ピクト表示）
さらに、表示中の放送がワンセグ放送なのかフルセグ放送なのかがすぐに分かるようにするために、表示中の放送の種類を示す識別マークを表示パネル５に表示してもよい。図２３は、該識別マークを表示パネル５に表示した場合の画面表示例である。図２３（ａ）は、ワンセグ放送を受信中の画面例であり、ワンセグ放送を表示中であることを示す識別マーク１００１が表示されている。また、図２３（ｂ）は、フルセグ放送を受信中の画面例であり、フルセグ放送を表示中であることを示す識別マーク１００２が表示されている。
【００９８】
このように、識別マークの種類を分けて表示することで、現在表示中の放送がワンセグ放送かフルセグ放送かがすぐに分かり、ユーザの使い勝手が向上する。
【００９９】
（チャンネルが異なってもよい）
なお、ワンセグ放送とフルセグ放送の切り替えは同じチャンネルを想定して記述したが、それに限らなくても良い。
【０１００】
例えば、放送局「ＡＢＣＤ」の番組をフルセグ放送で視聴中に受信状態が悪化した場合、別の放送局「ＹＹＹ」のワンセグ放送に切り替えても良い。これは、フルセグ放送、ワンセグ放送でそれぞれ選択する放送局を決めておき、当該放送局を識別できる識別情報をワンセグ放送またはフルセグ放送と対応づけて記憶部１２に保持しておけばよい。
【０１０１】
ここで、チャンネルが異なると放送波を伝送する周波数も異なるが、受信状況には相関がある。例えば、高層ビルの合間などでは、放送局から直接届く直接波と、複数の経路を通って届く反射波が干渉し合うため、どの放送波の電波も受信状況が悪化しやすい。そのため、ワンセグ放送の受信状況を監視することで、異なるチャンネルのフルセグ放送でもその受信状況を予想するができる。
【０１０２】
また、切り替え時に、受信できる全ての放送局の電波を受信し、一番受信状況の良い放送局の番組を表示するように制御してもよい。これにより、ユーザは受信状況の良い状態で放送を視聴することができるので、使い勝手が向上する。
【図面の簡単な説明】
【０１０３】
【図１】本発明の実施の形態に係る携帯電話の構成を示すブロック図である。
【図２】図１に示す携帯電話を開いた状態で正面から見たときの外観図である。
【図３】ワンセグとフルセグの周波数帯域を示す説明図である。
【図４】ワンセグとフルセグそれぞれの電波が受信可能なエリアを示す説明図である。
【図５】ワンセグチューナの詳細な構成図である。
【図６】ＢＥＲ値の時間変化をプロットしたグラフを示した図である。
【図７】ワンセグ放送の映像表示からフルセグ放送の映像表示へ切り替えるフルセグ映像出力処理のフローチャートである。
【図８】フルセグ放送の電界強度を間欠受信する実施形態１の切替判定処理のフローチャートである。
【図９】フルセグ放送の電界強度をワンセグ放送の電界強度の値によって受信する実施形態２の切替判定処理のフローチャートである。
【図１０】ワンセグ放送の電界強度によってフルセグ放送の電界強度を受信する処理を間欠的に行う実施形態３の切替判定処理のフローチャートである。
【図１１】ＢＥＲ値と電界強度の値を用いてフルセグ放送への切り替えを行う切替判定処理のフローチャートである。
【図１２】取得する時間間隔が途中で変更された場合の、ＢＥＲ値の時間変化をプロットしたグラフを示した図である。
【図１３】実施形態４においてＢＥＲ値を取得する時間間隔を変更する処理のフローチャートである。
【図１４】切り替えモードの設定画面である。
【図１５】閾値のテーブルである。
【図１６】閾値の設定画面である。
【図１７】モード対応表の内容を示した図である。
【図１８】電池残量を用いてフルセグからワンセグに切り替える電池残量判定処理のフローチャートである。
【図１９】電池残量を用いてワンセグからフルセグに切り替えるかどうかの判断する際の切替判定処理のフローチャートである。
【図２０】視聴スタイルごとの表示画面例を示した図である。
【図２１】視聴スタイルによってフルセグからワンセグに切り替える視聴スタイル判定処理のフローチャートである。
【図２２】携帯電話の状態を示す図である。
【図２３】ワンセグ放送とフルセグ放送の識別マークを表示した場合の画面表示例である。
【符号の説明】
【０１０４】
１…携帯電話、２…キーボード、３…カーソルキー、４…切替ボタン、５…表示パネル、６…通話用マイク、７…通話用スピーカ、８…スピーカ、１１…制御部、１２…記憶部、１３…操作部、１４…表示部、１５…ワンセグチューナ、１６…ワンセグデコード部、１７…音声出力部、１８…音声入力部、１９…通信部、２０…バス、２１…フルセグチューナ、２２…デスクランブル部、２３…フルセグデコード部、２４…タイマー、２５…電池残量取得部、２６…視聴スタイル取得部
【図１】
2010074560.tif 000003
【図２】
2010074560.tif 000004
【図３】
2010074560.tif 000005
【図４】
2010074560.tif 000006
【図５】
2010074560.tif 000007
【図６】
2010074560.tif 000008
【図７】
2010074560.tif 000009
【図８】
2010074560.tif 000010
【図９】
2010074560.tif 000011
【図１０】
2010074560.tif 000012
【図１１】
2010074560.tif 000013
【図１２】
2010074560.tif 000014
【図１３】
2010074560.tif 000015
【図１４】
2010074560.tif 000016
【図１５】
2010074560.tif 000017
【図１６】
2010074560.tif 000018
【図１７】
2010074560.tif 000019
【図１８】
2010074560.tif 000020
【図１９】
2010074560.tif 000021
【図２０】
2010074560.tif 000022
【図２１】
2010074560.tif 000023
【図２２】
2010074560.tif 000024
【図２３】
2010074560.tif 000025